(57)【要約】【課題】入隅部に角部が生じることを防止して高い防水性を得ることが可能になる断熱防水構造を提供する。【解決手段】建物の躯体の床１ａおよび壁１ｂに取り付けられた平板状の断熱材２と、隣接する断熱材２の交差部に配置されたコーナー断熱材５と、断熱材２およびコーナー断熱材５の表面を覆う防水層４とを備え、コーナー断熱材５は、床１ａまたは壁１ｂに当接する外周面５ａと、幅寸法が断熱材２の厚さ寸法と等しく形成されて各々対向する断熱材２の端面に当接する当接面５ｂと、これらの当接面５ｂ間にあって入隅部となる内周面５ｃとによって画成され、かつ内周面５ｃは、隣接する断熱材２の表面に連続する凹曲面によって形成されている。【選択図】図２
2019108718.tif 000002
【特許請求の範囲】
【請求項１】
建物の躯体の床および壁に取り付けられた平板状の断熱材と、隣接する上記断熱材の交差部に配置されたコーナー断熱材と、上記断熱材および上記コーナー断熱材の表面を覆う防水層とを備えた断熱防水構造において、
上記コーナー断熱材は、上記床または上記壁に当接する外周面と、幅寸法が上記断熱材の厚さ寸法と等しく形成されて各々対向する上記断熱材の端面に当接する当接面と、これらの当接面間にあって入隅部となる内周面とによって画成されてなり、かつ上記内周面は、隣接する上記断熱材の表面に連続する凹曲面によって形成されていることを特徴とする断熱防水構造。
【請求項２】
上記防水層は、上記断熱材の表面およびコーナー断熱材の内周面にスプレー施工された超速硬化性のウレタン防水材からなることを特徴とする請求項１に記載の断熱防水構造。
【発明の詳細な説明】
【技術分野】
【０００１】
本発明は、蓄熱槽等において躯体の床および壁に沿って施工された断熱材および防水材を備えた断熱防水構造に関するものである。
【背景技術】
【０００２】
建物の地下室等に設置された冷水槽、温水槽、冷温水槽、氷蓄熱槽等の蓄熱槽は、本来の空気調和設備における熱媒体の供給源としてのみならず、近年においては災害発生時における非常用水の供給源として、その有用性が再認識されつつある。
【０００３】
このような蓄熱槽の内周面を形成する従来の断熱防水構造は、図１３に示すように、建物の地下室等において、コンクリート躯体の床１０ａおよび壁１０ｂの表面に、平板状の断熱材１１をプラスチックアンカー１２によって取り付け、これら断熱材１１の表面に超速硬化性のウレタン防水材をスプレー施工することによって防水層１３を形成したものである。
【０００４】
また、下記特許文献１においては、断熱材１１の表面に沿って、防水シートを張設することによって防水層を形成した蓄熱槽における断熱防水構造が開示されている。
【０００５】
ところで、上記蓄熱槽にあっては、例えば水深３ｍの場合に底面においては３ｔ／ｍ２もの水圧を常時受けるのに対して、断熱材１１は剛性が低いために大きく変形し、この結果断熱材１１上に張られた防水層１３に引張力が生じて、断熱材１１が直角に交差する入隅部等に局所的な伸びが生じ、これが漏水を生じる原因の一つとなっていた。
【０００６】
また、特にスプレー施工による防水層１３においては、上記入隅部に一定の厚さで防水材を施工することが難しく、かつピンホールが出来やすいという性質がある。
【０００７】
そこで、上記従来の断熱防水構造においては、上記入隅部に起因する防水上の問題点を解決すべく、図１３に示すように、断熱材１１を施工した後に、上記入隅部に三角面木１４を配置して、その上から防水材を施工することにより、断熱材１１に交差部に９０°の角部が形成されることを防止している。この際に、図１４に示すように、蓄熱槽内における表面を凹曲面によって形成したＲ面木１５を用いる場合もある。
【０００８】
しかしながら、このような面木１４、１５を配置した場合においても、面木１４、１５の端部１４ａ、１５ａに角部が生じて漏水の原因になるという問題点があった。
【０００９】
また、床１０ａおよび壁１０ｂの施工誤差に起因して、これら床１０ａおよび壁１０ｂに取り付けた断熱材１１間の角度が９０°にならないと、上記面木１４、１５の端部１４ａ、１５ａと断熱材１１との間に隙間が生じてしまい、同様に防水材の施工時にピンホールが出来やすいという問題点もあった。
【先行技術文献】
【特許文献】
【００１０】
【特許文献１】特開平０８−３０９９０４号公報
【特許文献２】特開平０６−１０１８７６号公報
【発明の概要】
【発明が解決しようとする課題】
【００１１】
本発明は、上記事情に鑑みてなされたもので、入隅部に角部が生じることを防止して高い防水性を得ることが可能になる断熱防水構造を提供することを課題とするものである。
【課題を解決するための手段】
【００１２】
上記課題を解決するため、請求項１に記載の発明は、建物の躯体の床および壁に取り付けられた平板状の断熱材と、隣接する上記断熱材の交差部に配置されたコーナー断熱材と、上記断熱材および上記コーナー断熱材の表面を覆う防水層とを備えた断熱防水構造において、上記コーナー断熱材は、上記床または上記壁に当接する外周面と、幅寸法が上記断熱材の厚さ寸法と等しく形成されて各々対向する上記断熱材の端面に当接する当接面と、これらの当接面間にあって入隅部となる内周面とによって画成されてなり、かつ上記内周面は、隣接する上記断熱材の表面に連続する凹曲面によって形成されていることを特徴とするものである。
【００１３】
また、請求項２に記載の発明は、請求項１に記載の発明において、上記防水層は、上記断熱材の表面およびコーナー断熱材の内周面にスプレー施工された超速硬化性のウレタン防水材からなることを特徴とするものである。
【発明の効果】
【００１４】
請求項１または２に記載の発明においては、互いに直交する断熱材の入隅部に、従来の入隅部に位置する断熱材と面木とが一体化された形状のコーナー断熱材を配置するとともに、当該コーナー断熱材の内周面を、隣接する断熱材の表面に連続する凹曲面によって形成しているために、入隅部に従来の面木を用いた場合のような漏水の原因となる角部が生じることが無い。
【００１５】
しかも、上記コーナー断熱材は、従来の角隅部に位置する断熱材と面木とが一体化された形状のものであるために、壁側の断熱材と床側の断熱材とのなす角度が正確に９０°にならない場合にも、漏水の原因となる角部やピンホールが生じ易い隙間が生じることが無い。
【００１６】
この結果、高い防水性を得ることが可能になり、特に請求項２に記載の発明のように、超速硬化性のウレタン防水材を断熱材の表面およびコーナー断熱材の内周面にスプレー施工することによって防水層を形成する構造に適用した場合に、容易に一定の厚さで防水材を施工することが可能になり、よって上記ピンホールの発生を未然に防止することができるために顕著な効果が得られる。
【図面の簡単な説明】
【００１７】
【図１】本発明の一実施形態における要部の斜視図である。
【図２】図１の縦断面図である。
【図３】図１のＡ部におけるコーナー断熱材の端部の加工形状を示す分解斜視図である。
【図４】図３のコーナー断熱材の接続状態を示す分解斜視図である。
【図５】図４のコーナー断熱材の接続状態を示す斜視図である。
【図６】図１のＢ部におけるコーナー断熱材の端部の加工形状を示す分解斜視図である。
【図７】図１のＢ部におけるコーナー断熱材の接続状態を示す斜視図である。
【図８】図１のＣ部におけるコーナー断熱材の接続状態を示す斜視図である。
【図９】図１のＣ部の拡大図である。
【図１０】上記一実施形態の施工手順を説明するための図で、コンクリート躯体の要部の形状を示す斜視図である。
【図１１】図１０のコンクリート躯体にコーナー断熱材を取り付けた状態を示す斜視図である。
【図１２】図１１の基礎部分に断熱材を取り付けた状態を示す斜視図である。
【図１３】従来の断熱防水構造を示す縦断面図である。
【図１４】従来の他の断熱防水構造を示す縦断面図である。
【発明を実施するための形態】
【００１８】
図１〜図１２は、本発明に係る断熱防水構造を蓄熱槽に適用した一実施形態の要部を示すもので、この蓄熱槽における断熱防水構造は、建物の地下室のコンクリート躯体の床１ａおよび壁１ｂに複数枚の方形板状の断熱材２がプラスチックアンカー３によって取り付けられ、断熱材２、５、６の表面の所要箇所に導電フィルム（図示を略す。）が貼設されるとともに、これら断熱材２、５、６および導電フィルムの表面に、スプレー施工された超速硬化性のウレタン防水材からなる防水層４が形成されたものである。ちなみに、上記導電フィルムは、上記特許文献２においても開示されているように、防水層４の厚さ測定およびピンホールの検出を行うためのものである。
【００１９】
ここで、本実施形態の対象となる蓄熱槽においては、図１０に示すように、床１ａおよび壁１ｂの角隅部に基礎１ｃの一部が突出しており、これにより上記断熱防水構造においては、槽内の断熱材２に入隅部および出隅部が形成されている。そして、入隅部となる断熱材２の交差部には、第１のコーナー断熱材（コーナー断熱材）５が配置されている。
【００２０】
この第１のコーナー断熱材５は、床１ａまたは壁１ｂに当接する外周面５ａと、幅寸法が断熱材２の厚さ寸法と等しく形成されて各々対向する断熱材２の端面に当接する当接面５ｂと、これらの当接面５ｂ間にあって入隅部となる内周面５ｃとによって画成された棒状の部材で、断熱材２と同じ素材によって形成されている。
【００２１】
そして、この第１のコーナー断熱材５の内周面５ｃは、図２に示すように、隣接する断熱材２の表面に連続する凹曲面、より具体的に本実施形態においては断熱材２の表面が接線方向となる１／４円周面によって形成されている。
【００２２】
これに対して、出隅部となる断熱材２の交差部には、第２のコーナー断熱材６が配置されている。この第２のコーナー断熱材６は、同様に断熱材２と同じ素材からなるもので、断熱材２の厚さ寸法を半径とする円柱を１／４円周に等分割した棒状の部材である。これにより、第２のコーナー断熱材６は、直角を間に挟んで断熱材２の端面に当接する当接面６ａと、これら当接面６ａ間において１／４円周面によって出隅部を形成する外周面６ｂとによって画成されている。
【００２３】
以上のように、この断熱防水構造においては、入隅部および出隅部が、第１のコーナー断熱材５の内周面５ｃおよび第２のコーナー断熱材６の外周面６ｂによって断熱材２の表面から連続する断面円弧状の凹曲面または凸曲面によって形成されている。
【００２４】
さらに、この断熱防水構造においては、図１に示すように、３本の第１のコーナー断熱材５が接続される角隅部Ａ、３本の第２のコーナー断熱材６が接続される角隅部Ｂ、および２本の第１のコーナー断熱材５と１本の第２のコーナー断熱材６が接続される角隅部Ｃにおいても、当該角隅部Ａ、Ｂ、Ｃが円滑な凹曲面または凸曲面になるように加工が施されている。
【００２５】
すなわち、上記角隅部Ａにおいては、図３〜図５に示すように、水平方向に配置される２本の第１のコーナー断熱材５の端部に、鉛直方向に配置される第１のコーナー断熱材５の当接面５ｂと等しい幅寸法に形成されて上記当接面５ｂに接続される当接面７ａと、この当接面７ａから突出して鉛直方向の第１のコーナー断熱材５の内周面５ｃに当接する外周面７ｂと、隣接する水平方向の第１のコーナー断熱材５同士が当接する先端面７ｃが形成されている。
【００２６】
この結果、３本の第１のコーナー断熱材５が接続される角隅部においては、３本の第１のコーナー断熱材５の端部における内周面５ｃによって略球面状の凹曲面が形成されている。
【００２７】
これら水平方向に配置される２本の第１のコーナー断熱材５の端部は、例えばＮＣ加工機によって上記形状に加工されている。また、これら第１のコーナー断熱材５の内周面５ｃに導電フィルムを貼設する箇所においては、予め上記ＮＣ加工を行う前の第１のコーナー断熱材５の内周面５ｃに上記導電フィルムを貼設して上記ＮＣ加工を行うことにより、上記導電フィルムに皺や凹凸を生じることなく、連続した略球面状の上記凹曲面を形成させることができる。
【００２８】
また、３本の第２のコーナー断熱材６が接続される角隅部Ｂにおいては、図６および図７に示すように、水平方向に配置される２本の第２のコーナー断熱材６の端部が、軸線に対して４５度傾斜して切断されることにより、隣接する第２のコーナー断熱材６同士が当接する当接面８が形成されている。
【００２９】
これにより、３本の第２のコーナー断熱材６の接続部においては、円滑な凸曲面が形成されている。なお、これら第２のコーナー断熱材６の外周面６ｂに導電フィルムを貼設する箇所においては、同様に予め上記ＮＣ加工を行う前の第２のコーナー断熱材６の外周面６ｂに上記導電フィルムを貼設して上記ＮＣ加工を行うことにより、上記導電フィルムに皺や凹凸を生じることなく連続した凸曲面を形成させることができる。
【００３０】
また、上記３本の第２のコーナー断熱材６を接続した後に、上記外周面６ｂに導電フィルムを貼設するとともに、この際に上記導電フィルムの端部に、地球儀に地図紙を貼る場合と同様の切り欠き形状を加工しておいて、上記接続部に上記凸曲面を形成するように貼設してもよい。
【００３１】
さらに、２本の第１のコーナー断熱材５と１本の第２のコーナー断熱材６が接続される角隅部Ｃにおいては、図８および図９に示すように、２本の第１のコーナー断熱材５の接続部が内周面５ｃによる凹曲面であるのに対して、１本の第２のコーナー断熱材６の外周面６ｂが凸曲面であることから、第２のコーナー断熱材６の接続端部に近接する第１のコーナー断熱材５の端部に、凸面状の面取り部９が形成されている。
【００３２】
次に、図１０〜図１２に基づいて、図１〜図９に示した蓄熱槽における断熱防水構造の施工手順について概略説明する。
図１０に示すコンクリート躯体に対して、先ず図１１に示すように、床１ａと壁１ｂとの交差部および床１ａあるいは壁１ｂと基礎１ｃとの交差部に、入隅部を形成する第１のコーナー断熱材５を取り付ける。
【００３３】
次いで、図１２に示すように、基礎１ｃの３面に断熱板２を取り付けるとともに、隣接する断熱板２の端部間に第２のコーナー断熱材６を挿入して取り付ける。そして、コンクリート躯体の床１ａおよび壁１ｂに断熱材２を取り付ける。この際に、導電フィルムを調節すべき箇所においては、上述したように予め断熱材２、第１および第２のコーナー断熱材５、６の内周面５ｃおよび外周面６ｂに上記導電フィルムを貼設する。あるいは、断熱材２、第１および第２のコーナー断熱材５、６を取り付けた後に、現場施工によって導電フィルムを貼設してもよい。
【００３４】
そして、上記断熱材２並びに第１および第２のコーナー断熱材５、６の表面、あるいは当該表面に貼設された導電フィルムの表面に、超速硬化性のウレタン防水材をスプレー施工して防水層４を形成することにより、図１に示した断熱防水構造の施工が完了する。
【００３５】
以上説明したように、上記構成からなる断熱防水構造によれば、床１ａと壁１ｂとの入隅部および直交する壁１ｂの入隅部に、それぞれ従来の入隅部に位置する断熱材と面木とが一体化された第１のコーナー断熱材５を配置するとともに、入隅部を形成する上記第１のコーナー断熱材５の内周面５ｃを、隣接する断熱材２の表面に連続する１／４円弧の凹曲面によって形成しているために、入隅部に従来の面木を用いた場合のような角部が生じることが無い。
【００３６】
加えて、第１のコーナー断熱材５は、従来の角隅部に位置する断熱材と面木とが一体化された形状のものであるために、床１ａ側の断熱材２と壁１ｂ側の断熱材２とのなす角度が正確に９０°にならない場合にも、ピンホールが生じるような隙間を生じることが無い。
【００３７】
また、本実施形態のように蓄熱槽内に基礎１ｃ等の突起部が有る場合に、当該基礎１ｃ等の壁や床に取り付けられた断熱材２間に、第２のコーナー断熱材６を配置するとともに、当該第２のコーナー断熱材６の出隅部となる外周面を、１／４円周の凸曲面によって形成しているために、上記出隅部においても漏水の原因となる角部やピン−ホールが生じ易い隙間が形成されることを防ぐことができる。
【００３８】
この結果、超速硬化性のウレタン防水材を断熱材２並びに第１および第２のコーナー断熱材５、６の内周面５ｃおよび外周面６ｂにスプレー施工することによって防水層４を形成する際に、容易に一定の厚さで防水材を施工することが可能になり、よって高い防水性を得ることができる。
【００３９】
なお、上記実施形態においては、断熱材２の表面並びに第１および第２のコーナー断熱材５、６の内周面５ｃおよび外周面６ｂに超速硬化性のウレタン防水材をスプレー施工して防水層４を形成する場合についてのみ説明したが、本発明はこれに限定されるものではなく、上記断熱材２等の表面に防水シートを貼設して防水層を形成する場合に適用しても同様の効果を得ることができる。
【００４０】
また、上記実施形態においては、断熱材２、５、６の表面の所要箇所に、防水層４の厚さ測定およびピンホールの検出を行うための導電フィルムを貼設する場合に付いて説明したが、上記導電フィルムを施工しない場合にも同様に適用することができる。
【符号の説明】
【００４１】
１ａ  コンクリート躯体の床
１ｂ  コンクリート躯体の壁
２  断熱材
４  防水層
５  第１のコーナー断熱材（コーナー断熱材）
５ａ  外周面
５ｂ  当接面
５ｃ  内周面
【図１】
2019108718.tif 000003
【図２】
2019108718.tif 000004
【図３】
2019108718.tif 000005
【図４】
2019108718.tif 000006
【図５】
2019108718.tif 000007
【図６】
2019108718.tif 000008
【図７】
2019108718.tif 000009
【図８】
2019108718.tif 000010
【図９】
2019108718.tif 000011
【図１０】
2019108718.tif 000012
【図１１】
2019108718.tif 000013
【図１２】
2019108718.tif 000014
【図１３】
2019108718.tif 000015
【図１４】
2019108718.tif 000016